(57)【要約】【課題】本発明は、電子機器において、生産コストの削減を目的とするものである。【解決手段】照明手段１４は、操作パネル２の裏面側に配置された発光素子１５と、この発光素子１５に、その入光端１６が対向配置された導光体１７とを有し、前記導光体１７は、前記入光端１６から、前記スイッチ操作部５〜１０の裏面側に対向配置された出光端１８までが、複数の導光路１９に分岐され、前記出光端１８には、発光層２０を設けたものであるので、発光素子１５の数をスイッチ操作部５〜１０に比べて大幅に少なくすることが出来、その結果として生産コストを低減化することが可能となるのである。【選択図】図２
2013171820.tif 000002
【特許請求の範囲】
【請求項１】
操作パネルと、この操作パネルの表面側に配置された複数のスイッチ操作部と、これら複数のスイッチ操作部の照明手段とを備え、前記照明手段は、前記操作パネルの裏面側に配置された発光素子と、この発光素子に、その入光端が対向配置された導光体とを有し、前記導光体は、前記入光端から、前記スイッチ操作部の裏面側に対向配置された出光端までが、複数の導光路に分岐され、前記出光端には、発光層を設けた電子機器。
【請求項２】
複数のスイッチ操作部は、操作パネルの表面側において隣接配置され、各スイッチ操作部の導光路外に、スイッチ駆動部を設けた請求項１に記載の電子機器。
【発明の詳細な説明】
【技術分野】
【０００１】
本発明は、操作パネルの表面側に複数のスイッチ操作部を設けた電子機器に関するものである。
【背景技術】
【０００２】
従来のこの種、電子機器においては、各スイッチ操作部の裏面側に照明手段を設けている。
【０００３】
また、この照明手段としては、スイッチ操作部の裏面側に対向する出光端に発光層を設けたものが提案されている（例えば下記特許文献１）。
【先行技術文献】
【特許文献】
【０００４】
【特許文献１】特開２００３−２９８１２０号公報
【発明の概要】
【発明が解決しようとする課題】
【０００５】
上記従来例においては、スイッチ操作部の裏面側に対向する発光手段の出光端に、発光層を設けているので、発光層の発光色を変更することも容易で、その結果、スイッチ操作部を各色で照明させることが出来、表示効果の高いものとなる。
【０００６】
しかしながら、スイッチ操作部が多く存在する場合には、発光手段の数もそれにあわせて増設しなければならず、生産コストの高いものとなる。
【０００７】
そこで、本発明は、生産コストを低減化する事を目的とするものである。
【課題を解決するための手段】
【０００８】
そしてこの目的を達成するために本発明は、操作パネルと、この操作パネルの表面側に配置された複数のスイッチ操作部と、これら複数のスイッチ操作部の照明手段とを備え、前記照明手段は、前記操作パネルの裏面側に配置された発光素子と、この発光素子に、その入光端が対向配置された導光体とを有し、前記導光体は、前記入光端から、前記スイッチ操作部の裏面側に対向配置された出光端までが、複数の導光路に分岐され、前記出光端には、発光層を設け、これにより所期の目的を達成するものである。
【発明の効果】
【０００９】
以上のように本発明は、操作パネルと、この操作パネルの表面側に配置された複数のスイッチ操作部と、これら複数のスイッチ操作部の照明手段とを備え、前記照明手段は、前記操作パネルの裏面側に配置された発光素子と、この発光素子に、その入光端が対向配置された導光体とを有し、前記導光体は、前記入光端から、前記スイッチ操作部の裏面側に対向配置された出光端までが、複数の導光路に分岐され、前記出光端には、発光層を設けたものであるので、生産コストを低減化することが可能となる。
【００１０】
すなわち、本発明における照明手段は、前記操作パネルの裏面側に配置された発光素子と、この発光素子に、その入光端が対向配置された導光体とを有し、前記導光体は、前記入光端から、前記スイッチ操作部の裏面側に対向配置された出光端までが、複数の導光路に分岐され、前記出光端には、発光層を設けたものであるので、発光素子の数をスイッチ操作部に比べて大幅に少なくすることが出来、その結果として生産コストを低減化するこ
とが可能となるのである。
【００１１】
また、このように発光素子の数を少なくしても、前記出光端には、発光層を設けているので、各スイッチ操作部を十分に照明することができる。
【図面の簡単な説明】
【００１２】
【図１】本発明の一実施形態の電子機器を示す正面図
【図２】同スイッチ操作部の平面図
【図３】同スイッチ操作部の断面図
【図４】同スイッチ操作部の断面図
【図５】同スイッチ操作部の断面図
【発明を実施するための形態】
【００１３】
以下、本発明の一実施形態を、添付図面を用いて説明する。
【００１４】
（実施の形態１）
図１において、１は電子機器の本体ケースで、この本体ケース１の前面には平板状の操作パネル２が配置されている。
【００１５】
この操作パネル２の上方には、光ディスクの投入口３が配置され、その下方には表示部４が配置されている。
【００１６】
また、操作パネル２の表示部４の左右と、下方には複数のスイッチ操作部５、６、７、８、９、１０が配置されている。
【００１７】
これらの複数のスイッチ操作部５〜１０は、押すとその背面側に配置されたスイッチ１１がＯＮ、ＯＦＦする構成となっている。
【００１８】
これを、スイッチ操作部７を例に説明すると、図２に示すごとく、スイッチ操作部７は矩形となっており、その対角線の二つのコーナには、Ｘ方向とＹ方向に軸１２が設けられている。
【００１９】
また、軸１２に対向する操作パネル２部分には、前後方向の溝（図示せず）が形成されており、スイッチ操作部７を押すと、この溝にそって軸１２が後方に後退し、軸１２の後端に対向配置したスイッチ１１がＯＮ、ＯＦＦする構成となっている。
【００２０】
なお、操作パネル２部分の表面には、化粧板１３が設けられているので、図１においては、スイッチ操作部７の軸１２や、それが沿って動く前記溝は表示されていない。
【００２１】
一方、操作パネル２の裏面側には、図４に示す照明手段１４が設けられている。
【００２２】
この照明手段１４は、前記操作パネル２の裏面側、具体的には、スイッチ操作部８、９間の裏面側に設けた発光素子１５と、この発光素子１５に、その入光端１６が対向配置された導光体１７とを有する。
【００２３】
また、前記導光体１７は、前記入光端１６から、前記スイッチ操作部５〜１０の裏面側に対向配置された出光端１８までが、複数の導光路１９に分岐され、前記出光端１８には、図５のごとく、発光層２０を設けている。
【００２４】
このため、一つの発光素子１５を点灯すれば、その光は入光端１６から入光し、分岐さ
れた導光路１９を進み、各出光端１８から出光し、その部分の発光層２０を発光させることになる。
【００２５】
この結果、スイッチ操作部５〜１０は全て発光状態となり、その存在を示すことになる。
【００２６】
なお、発光層２０は発光材料を樹脂に混練することで容易に形成することが出来る。
【００２７】
また、導光体１７も樹脂によって一体に、または別体で容易に形成することが出来、両者とも樹脂整形できるので、前記出光端１８に発光層２０を設けることも容易に行える。
【００２８】
また、図１からも理解されるように、スイッチ操作部５〜１０は、操作パネルの表面側において隣接配置されているが、各スイッチ操作部５〜１０の導光路１９外に、スイッチ駆動部（例えば上記軸８）を設けているので、各スイッチ操作部５〜１０の操作時に、導光路１９が邪魔になることは無い。
【００２９】
以上のように、本実施形態における照明手段１４は、操作パネル２の裏面側に配置された発光素子１５と、この発光素子１５に、その入光端１６が対向配置された導光体１７とを有し、前記導光体１７は、前記入光端１６から、前記スイッチ操作部５〜１０の裏面側に対向配置された出光端１８までが、複数の導光路１９に分岐され、前記出光端１８には、発光層２０を設けたものであるので、発光素子１５の数をスイッチ操作部５〜１０に比べて大幅に少なくすることが出来、その結果として生産コストを低減化することが可能となるのである。
【００３０】
また、このように発光素子１５の数を少なくしても、前記出光端１８には、発光層２０を設けているので、各スイッチ操作部５〜１０を十分に照明することができる。
【産業上の利用可能性】
【００３１】
以上のように本発明における照明手段は、前記操作パネルの裏面側に配置された発光素子と、この発光素子に、その入光端が対向配置された導光体とを有し、前記導光体は、前記入光端から、前記スイッチ操作部の裏面側に対向配置された出光端までが、複数の導光路に分岐され、前記出光端には、発光層を設けたものであるので、発光素子の数をスイッチ操作部に比べて大幅に少なくすることが出来、その結果として生産コストを低減化することが可能となるのである。
【００３２】
また、このように発光素子の数を少なくしても、前記出光端には、発光層を設けているので、各スイッチ操作部を十分に照明することができる。
【００３３】
したがって、各種電子機器としての活用が期待されるものとなる。
【符号の説明】
【００３４】
１  本体ケース
２  操作パネル
３  投入口
４  表示部
５，６，７，８，９，１０  スイッチ操作部
１１  スイッチ
１２  軸
１３  化粧板
１４  照明手段
１５  発光素子
１６  入光端
１７  導光体
１８  出光端
１９  導光路
２０  発光層
【図１】
2013171820.tif 000003
【図２】
2013171820.tif 000004
【図３】
2013171820.tif 000005
【図４】
2013171820.tif 000006
【図５】
2013171820.tif 000007